(57)【要約】      （修正有）【課題】電解液にポリビニルアルコールやポリアクリル酸塩を添加し高電流密度放電を行なう自動車のエンジン始動用鉛蓄電池について、その補水、添加剤の補充、補充電を極めて簡便に行なうことができる鉛蓄電池を提供する。【解決手段】プラスチック製外囲器内の一部分に、ポリビニルアルコールおよびポリアクリル酸塩の少なくとも一つを電解液中に含む鉛蓄電池２を収納し、該外囲器内の他の部分に充電器を収納した自動車エンジン始動用鉛蓄電池。【選択図】図１
0003141468.tif 000002
【実用新案登録請求の範囲】
【請求項１】
外面がほぼ直方体形状を有するプラスチック製外囲器内の一部分に、ポリビニルアルコールおよびポリアクリル酸塩の少なくとも一つを電解液中に含む鉛蓄電池を収納し、該外囲器内の他の部分に充電器を収納したことを特徴とする自動車エンジン始動用鉛蓄電池。
【請求項２】
請求項１において、充電器が交流商用電源を直流に変換する電気回路および／またはアルカリマンガン一次電池である自動車エンジン始動用鉛蓄電池。
【請求項３】
請求項１または請求項２において、更に該外囲器内の残余の部分に、収納空所を設けた自動車エンジン始動用鉛蓄電池。
【請求項４】
請求項３において、該収納空所内にポリビニルアルコール、ポリアクリル酸塩および水の少なくとも一つを収納した自動車エンジン始動用鉛蓄電池。
【考案の詳細な説明】
【技術分野】
【０００１】  本考案は、自動車のエンジン始動用電動機等の駆動に用いられる鉛蓄電池に関し、特に、簡単な操作で、極めて長期間にわたり、必要性能を持続できる鉛蓄電池に関する。
【背景技術】
【０００２】  従来、自動車のエンジン始動用電動機等の駆動に用いられる鉛蓄電池は、２−３年使用すると、電極活物質が劣化して、寿命が尽きた。本考案者等は、鉛蓄電池の電解液にポリビニルアルコールやポリアクリル酸塩を添加し、高電流密度放電を行なうと、電池寿命が著しく改善されることを発見し、平成２０年１月２４日特許を出願した。しかしながら、この方法では電解液中に添加したポリビニルアルコールやポリアクリル酸塩は充電中に正極で徐々に酸化されて分解するので、定期的にこれを補充する必要があり、また、その効果を高めるためには、小電流で長時間の補充電を定期的に行なうことが必要であった。これらの操作は一般のサービスステーションでは行なわれておらず、運転者が簡単な操作で行なうことができる装置が望まれていた。
【考案の開示】
【考案が解決しようとする課題】
【０００３】  本考案は、電解液にポリビニルアルコールやポリアクリル酸塩を添加し高電流密度放電を行なう自動車のエンジン始動用鉛蓄電池であって、その補水、添加剤の補充、補充電を極めて簡便に行なうことができる鉛蓄電池を提供しようとするものである。
【課題を解決するための手段】
【０００４】  本考案は、外面がほぼ直方体形状を有するプラスチック製外囲器内の一部分に、ポリビニルアルコールおよびポリアクリル酸塩の少なくとも一つを電解液中に含む鉛蓄電池を収納し、該外囲器内の他の部分に充電器を収納した自動車エンジン始動用鉛蓄電池であり、好ましくは該充電器が交流商用電源を直流に変換する電気回路および／またはアルカリマンガン一次電池であ自動車エンジン始動用鉛蓄電池である。また前記自動車エンジン始動用鉛蓄電池において、更に該外囲器内の残余の部分に、収納空所を設けた自動車エンジン始動用鉛蓄電池であり、更に、該収納空所内にポリビニルアルコール、ポリアクリル酸塩および水の少なくとも一つを収納した自動車エンジン始動用鉛蓄電池である。
【考案の効果】
【０００５】  即ち、自動車のエンジン始動用鉛蓄電池においては、ポリビニルアルコールやポリアクリル酸塩を添加し高電流密度放電を行なうことにより、１０年以上の長寿命が期待できるが、そのためには、充電時の電解酸化により徐々に分解するポリビニルアルコールやポリアクリル酸塩の添加物を定期的に補充する必要があり、また、電解で失われる水分を補充する必要がある。更に、長期間の使用中に電極活物質中に徐々に蓄積する硫酸鉛の結晶を定期的に完全に分解するために、数アンペア程度の弱い電流で、長時間充電を行なう必要がある。【０００６】  しかしながら、これらの操作は常時行なう必要は無く、１年に１回程度行えば充分であるので、この操作のための薬品や器具を収納しておくのは煩わしいことであった。本考案では、電池を高電流密度放電で使用するため、電池の大きさは従来の電池の７０ないし５０％で済むので、自動車のエンジンルーム内の従来の電池設置場所を利用し、従来の電池ケースとほぼ同じ外形の容器に、ポリビニルアルコールおよびポリアクリル酸塩の少なくとも一つを電解液中に含む鉛蓄電池と、充電器、ポリビニルアルコール、ポリアクリル酸塩、および水を収納することにより、該電池を定期的に保守する際、それに使用する薬品や器具を探すことなく、直ちに取り出して実施できるものである。
【考案を実施するための最良の形態】
【０００７】  本考案で用いるポリビニルアルコールおよびポリアクリル酸塩の少なくとも一つを電解液中に含む鉛蓄電池は、電極活物質の量を少なくできるので、従来の鉛蓄電池に比べて単電池中の電極板の枚数を少なくすることができ、その結果鉛蓄電池の占める体積が小さくなる。例えば、従来の鉛蓄電池では、単電池は正極板５枚と負極板６枚とで構成されていたが、本考案の電池では正極板３枚と負極板４枚で充分な性能が得られる。従って、極板を減らした体積に相当する空間がプラスチック製外囲器内に得られることになる。【０００８】  本考案で用いる充電器は、直流出力は数アンペアで充分であり、また、交流を整流しただけの脈流で良いので、小型トランスとダイオードを組み合わせた簡単で小型の回路を用いることができる。過充電を避けるため、定電圧回路、タイマー等を組み込むことが望ましい。また該電気回路を該電池に接続した際の漏れ電流が充分に小さければ、該電気回路を常時該電池の端子に接続した状態とすることも可能である。また、近年アルカリマンガン一次電池は自己放電が極めて小さくなるように改良が進んでおり、この電池を１２個直列に接続したものを非常用の充電器として用いることもできる。【０００９】  本考案で用いるポリビニルアルコール、ポリアクリル酸塩、水等は、塵埃等による汚染を避けるため、蓋付きの容器に入れて、プラスチック製外囲器内の一部分に収納するのが望ましい。
【実施例】
【００１０】  本考案の一実施例を図１および図２に示す。プラスチック製外囲器１内には鉛蓄電池２と、交流商用電源を直流に変換する電気回路９と、収納室１３とが設けられている。鉛蓄電池２には、電解液５が注入されており夫々複数の正極板６と負極板７が積層されてなる単電池が直列に接続されて正極端子３と負極端子４で外部に接続する構造になっている。なお、各単電池には補水口８が設けられており、水や添加物の補給をここから行なうことができる。交流商用電源を直流に変換する電気回路８には交流商用電源接続口９と鉛蓄電池２に充電電流を供給するための直流出力端子１１が設けられており、電源の状態と満充電を表示するパイロットランプ１２が設けられている。収納室１３はポリビニルアルコール、ポリアクリル酸塩、および水等を収納するための空間で、収納室の蓋１４は収納室に埃や水が侵入することを防止するものである。
【図面の簡単な説明】
【００１１】
【図１】  本考案の一実施例を示した模式図である。
【図２】  図１の実施例の断面図である。
【符号の説明】
【００１２】１：プラスチック製外囲器
２：鉛蓄電池
３：正極端子
４：負極端子
５：電解液
６：正極板
７：負極板
８：補水口
９：交流商用電源を直流に変換する電気回路
１０：交流商用電源接続口
１１：直流出力端子
１２：パイロットランプ
１３：収納室
１４：収納室の蓋
【図１】
0003141468.tif 000003
【図２】
0003141468.tif 000004